(57)【要約】【課題】パブリックデイスプレイ等の映像表示装置を更に有効に利用することを目的とする。【解決手段】非接触ＩＣカード５のリーダーライター４を表示部１ａ近傍に配置した。【選択図】        図１
2006235365.tif 000002
【特許請求の範囲】
【請求項１】
非接触ＩＣカードのリーダーライターを表示部近傍に配置したことを特徴とする映像表示装置。
【請求項２】
請求項１記載の映像表示装置において、
前記表示部近傍はベゼル裏面所定位置であることを特徴とする映像表示装置。
【請求項３】
請求項１記載の映像表示装置において、
前記非接触ＩＣカードは携帯電話機に設けられたものであることを特徴とする映像表示装置。
【請求項４】
請求項１記載の映像表示装置において、
前記リーダーライターは前記非接触ＩＣカードのＩＤデータを読むようにしたことを特徴とする映像表示装置。
【請求項５】
請求項１記載の映像表示装置において、
前記リーダーライターは前記表示部に表示した広告に関連したクーポン情報を配信するようにしたことを特徴とする映像表示装置。
【発明の詳細な説明】
【技術分野】
【０００１】
本発明は、空港の待合室、駅前、その他の公共施設等に配置され、種々の情報、広告等を表示する所謂パブリックデイスプレイに適用して好適な映像表示装置に関する。
【背景技術】
【０００２】
一般に、空港の待合室、駅前、その他の公共施設等に所謂パブリックデイスプレイが配置されており、このパブリックデイスプレイに広告管理会社等の有するサーバー等の情報源よりの種々の情報、広告等の映像信号を有線、無線又はインターネットを介して伝送し、このパブリックデイスプレイで、この種々の情報、広告等を表示することが行われている（特許文献１、特許文献２）。
【特許文献１】特開平９−３２５９９２号公報
【特許文献２】特開平２００３−３２３１６５号公報
【発明の開示】
【発明が解決しようとする課題】
【０００３】
斯かる、従来のパブリックデイスプレイでは、種々の情報、広告等の表示のみが行われていた。
【０００４】
本発明、斯かる点に鑑み、斯かるパブリックデイスプレイ等の映像表示装置を更に有効に利用することを目的とする。
【課題を解決するための手段】
【０００５】
本発明映像表示装置は、非接触ＩＣカードのリーダーライターを表示部近傍に配置したものである。
【発明の効果】
【０００６】
本発明によれば、非接触ＩＣカードのリーダーライターを表示部近傍に配置したので、パブリックデイスプレイ等の映像表示装置を更に有効に利用することができる。
【０００７】
本発明によれば、例えば、このリーダーライターに接続されたパーソナルコンピュタを介して、この映像表示装置の表示部に携帯電話機で撮影した画像を表示することができる。
【０００８】
また、本発明によれば、このリーダーライターによりパブリックデイスプレイの表示部に表示した広告に関連したクーポン情報を非接触ＩＣカードの所有者に配信することができる。
【発明を実施するための最良の形態】
【０００９】
以下、図面を参照して本発明映像表示装置を実施するための最良の形態の例につき説明する。
【００１０】
図１において、１はパブリックデイスプレイを構成する映像表示装置を示し、この映像表示装置１の表示部１ａは、ＬＣＤ，ＰＤＰ等より構成し、この映像表示装置１を薄型に構成する。
【００１１】
この映像表示装置１は図４に示す如く広告管理会社１０が所有する広告等が蓄積されたサーバー１０ａよりの画像データを映像表示装置１の近傍に配したパーソナルコンピュタ２にダウンロードして保持し、この画像データを表示部１ａに表示するようにしたものである。
【００１２】
この映像表示装置１とパーソナルコンピュタ２とはビデオケーブル３で接続され、このパーソナルコンピュタ２に保持した画像データをこのビデオケーブル３を介して映像表示装置１に供給し、この画像データを表示部１ａに表示するようにしたものである。
【００１３】
本例においては、この映像表示装置１の表示部１ａの近傍例えば、この表示部１ａの外枠を構成する前面のベゼル１ｂの裏側に例えばＦｅｌｉｃａ（商品名）等の非接触ＩＣカード５に対し、読み書きを行うリーダーライター４を配置する。
【００１４】
このリーダーライター４は周知のもので、図２に示す如く，アンテナ部４ａとコントローラー部４ｂとより成り、これ等をモジュール化したものである。このリーダーライター４を本例においては、図１〜図３に示す如く、ベゼル１ｂの下右側の裏面所定位置に凹部を形成し、そこに嵌め合うように例えば接着固定する。
【００１５】
このベゼル１ｂは図３に示す如く２重構造としたもので、外側樹脂１ｂ１を透明アクリルで構成し、この透明アクリルの裏面をパール、黒又はシルバー塗装したもので、内側樹脂１ｂ２はＡＢＳで構成し、この外側樹脂１ｂ１及び内側樹脂１ｂ２を両面接着テープ１ｃで接着したものである。
【００１６】
なお、図示はしないがこのベゼル１ｂの表面にはリーダーライター４のアンテナ部４ａに対応する位置にアンテナ部４ａの存在を示す表示がされている。
【００１７】
非接触ＩＣカード５は周知の如くアンテナとＩＣチップとより成り、これ等をカード化したものである。この非接触ＩＣカード５をリーダーライター４のアンテナ部４ａにベゼル１ｂの表側より近づける（以降「タッチする」と記載する。）ことにより、リーダーライター４は非接触ＩＣカード５のＩＤデータ等を読み又所定のデータを書き込むことができる。
【００１８】
この非接触ＩＣカード５とリーダーライター４との間の通信は、リーダーライター４から発信される電磁波によって行われる。
【００１９】
このリーダーライター４をこの映像表示装置１の近傍に配置したパーソナルコンピュタ２にＵＳＢケーブル６を介して接続し、この非接触ＩＣカード５をこの映像表示装置１のリーダーライター４のアンテナ部４ａにタッチすることにより、非接触ＩＣカード５に蓄積されたデータをパーソナルコンピュタ２へ、またパーソナルコンピュタ２に蓄積されたデータを非接触ＩＣカード５へ送信することができる。
【００２０】
次に図４を参照して、パブリックデイスプレイとしての映像表示装置１のリーダーライター４が、表示部１ａに表示した広告に関連したクーポン情報を配信する例につき説明する。
【００２１】
例えば、駅前に設置したパブリックデイスプレイとしての映像表示装置１のパーソナルコンピュタ２(図４では図示していない。)に広告管理会社１０のサーバー１０ａから１０％引きのコーヒーショップ１１の広告をダウンロードし、これを映像表示装置１の表示部１ａに、１０％引きのコーヒーショップ１１の広告をする。
【００２２】
このとき、消費者１２が、この広告を見て非接触ＩＣカード５をこのパブリックデイスプレイである映像表示装置１のリーダーライター４のアンテナ部４ａにタッチしたときは、消費者１２がこの広告を見て非接触ＩＣカード５をこのリーダーライター４のアンテナ部４ａにタッチしたことをパーソナルコンピュタ２が広告管理会社１０のサーバー１０ａに報告されると共に消費者１２の非接触ＩＣカード５に１０％引きのクーポン情報が配信される。
【００２３】
その後、消費者１２がその非接触ＩＣカード５を持って広告をしたコーヒーショップ１１に行って１０％引きのクーポンでコーヒーを購入したときは、コーヒーショップ１１は広告管理会社１０にそのことを報告するようにすれば、広告管理会社１０は広告主（企業）１３に広告効果を報告できる。
【００２４】
図５、図６及び図７を参照して、携帯電話機に非接触ＩＣカードを組み込み、非接触ＩＣカード付携帯電話機２０とし、この非接触ＩＣカード付携帯電話機２０のカメラで撮像した画像データを、このパブリックデイスプレイである映像表示装置１で見る場合につき説明する。
【００２５】
この非接触ＩＣカード付携帯電話機２０は、図５に示す如く,周知の電話機能部２０ａと付加機能部２０ｂとより成り、この付加機能部２０ｂは、カメラ２１、このカメラ２１よりの画像データをメモリする画像メモリ２２、この画像メモリ２２の画像データを無線送信するＢｌｕｅｔｏｏｔｈ送信部２３と非接触ＩＣカード５部とを有し、この非接触ＩＣカード５がＢｌｕｅｔｏｏｔｈ送信部２３に送信命令を出すようになされている。
【００２６】
次に、図６及び図７を参照して、この非接触ＩＣカード付携帯電話機２０のカメラ２１で撮像した画像データをパブリックデイスプレイである大型画面の映像表示装置１でみたいときには、まずこの大型画面の映像表示装置１で見たい画像データを用意する（ステップＳ１）。
【００２７】
次に、非接触ＩＣカード付携帯電話機２０の非接触ＩＣカード５部を映像表示装置１のリーダーライター４のアンテナ部４ａにタッチする（ステップＳ２）。このときは、この非接触ＩＣカード５のＩＤデータを、このリーダーライター４が読む（ステップＳ３）。
【００２８】
次に、リーダーライター４は、このＩＤデータをＵＳＢ信号に変換し、ＵＳＢケーブル６を介してパーソナルコンピュタ２に送る（ステップＳ４）。次にパーソナルコンピュタ２から画像データ送信の命令をリーダーライター４に送る（ステップＳ５）。
【００２９】
その後、リーダーライター４は、この命令を非接触ＩＣカード付携帯電話機２０の非接触ＩＣカード５に送り（ステップＳ６）、このあとこの非接触ＩＣカード５はＢｌｕｅｔｏｏｔｈ送信部２３に送信命令を出し、このＢｌｕｅｔｏｏｔｈ送信部２３は、画像メモリ２２よりの画像データをＢｌｕｅｔｏｏｔｈ信号にして無線でパーソナルコンピュタ２に送り出す（ステップＳ７）。
【００３０】
このときパーソナルコンピュタ２は、この画像データのＢｌｕｅｔｏｏｔｈ信号を受信する（ステップＳ８）。この映そうとする画像データのＢｌｕｅｔｏｏｔｈ信号を、全てパーソナルコンピュタ２が受信したかを判断し（ステップＳ９）、パーソナルコンピュタ２が、映そうとする画像データを全て受信したときには、この画像データをビデオケーブル３を介して映像表示装置１に供給し、この画像データをパブリックデイスプレイである大型画面の映像表示装置１の表示部１ａに映出する（ステップＳ１０）。
【００３１】
以上述べた如く、本例によれば、非接触ＩＣカード５のリーダーライター４を表示部１ａ近傍に配置したので、パブリックデイスプレイ等の映像表示装置１を更に有効に利用することができる。
【００３２】
本例によれば、例えば、このリーダーライター４に接続されたパーソナルコンピュタ２を介して、この映像表示装置１の表示部１ａに携帯電話機２０で撮影した画像データを大型画面のパブリックデイスプレイである映像表示装置１の表示部１ａに表示することができる。
【００３３】
また、本例によれば、このリーダーライター４によりパブリックデイスプレイ１の表示部１ａに表示した広告に関連したクーポン情報を非接触ＩＣカード５の所有者１２に配信することができ広告効果を向上することができる。
【００３４】
尚、本発明は上述例に限ることなく、本発明の要旨を逸脱することなく、その他種々の構成が採り得ることは勿論である。
【図面の簡単な説明】
【００３５】
【図１】本発明映像表示装置を実施するための最良の形態の例を示す構成図である。
【図２】本発明の要部の例を示す平面図である。
【図３】図１のIII―III線断面図である。
【図４】本発明の説明に供する構成図である。
【図５】非接触ＩＣカード付携帯電話機の例の構成図である。
【図６】本発明の説明に供する構成図である。
【図７】本発明の説明に供するフローチャートである。
【符号の説明】
【００３６】
１…映像表示装置，１ａ…表示部、１ｂ…ベゼル、２…パーソナルコンピュタ、３…ビデオケーブル、４…リーダーライター、５…非接触ＩＣカード、６…ＵＳＢケーブル、２０…非接触ＩＣカード付携帯電話機
【図１】
2006235365.tif 000003
【図２】
2006235365.tif 000004
【図３】
2006235365.tif 000005
【図４】
2006235365.tif 000006
【図５】
2006235365.tif 000007
【図６】
2006235365.tif 000008
【図７】
2006235365.tif 000009
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
非接触ＩＣカードのリーダーライターを表示部近傍に配置したことを特徴とする映像表示装置。
【請求項２】
請求項１記載の映像表示装置において、
前記表示部近傍はベゼル裏面所定位置であることを特徴とする映像表示装置。
【請求項３】
請求項１記載の映像表示装置において、
前記リーダーライターは携帯電話機に設けられた非接触ＩＣカード機能部のデータを読み書きすることを特徴とする映像表示装置。
【請求項４】
請求項３記載の映像表示装置において、
前記表示部は前記携帯電話機にて撮像された画像ダータを表示することを特徴とする映像表示装置。
【請求項５】
請求項１記載の映像表示装置において、
前記リーダーライターは前記非接触ＩＣカードのＩＤデータを読むようにしたことを特徴とする映像表示装置。
【請求項６】
請求項１記載の映像表示装置において、
前記リーダーライターは前記表示部に表示した広告に関連したクーポン情報を配信するようにしたことを特徴とする映像表示装置。
【手続補正２】
【補正対象書類名】明細書
【補正対象項目名】０００８
【補正方法】変更
【補正の内容】
【０００８】
また、本発明によれば、このリーダーライターによりパブリックデイスプレイの表示部に表示した広告に関連したクーポン情報を消費者が所有する非接触ＩＣカードに配信することができる。
【手続補正３】
【補正対象書類名】明細書
【補正対象項目名】００１１
【補正方法】変更
【補正の内容】
【００１１】
この映像表示装置１は図４に示す如く広告管理会社１０が所有する広告等のデータが蓄積されたサーバー１０ａよりの画像データを映像表示装置１の近傍に配したパーソナルコンピュタ２にダウンロードして保持し、この画像データを表示部１ａに表示するようにしたものである。
【手続補正４】
【補正対象書類名】明細書
【補正対象項目名】００１３
【補正方法】変更
【補正の内容】
【００１３】
本例においては、この映像表示装置１の表示部１ａの近傍例えば、この表示部１ａの外枠を構成する前面のベゼル１ｂの裏側に例えばＦｅｌｉＣａ（登録商標）等の非接触ＩＣカード５に対し、読み書きを行うリーダーライター４を配置する。
【手続補正５】
【補正対象書類名】明細書
【補正対象項目名】００２３
【補正方法】変更
【補正の内容】
【００２３】
その後、消費者１２がその非接触ＩＣカード５を持って広告をしたコーヒーショップ１１に行って１０％引きのクーポンでコーヒーを購入したときは、コーヒーショップ１１は広告管理会社１０にそのことを報告するようにすれば、広告管理会社１０はコーヒーショップの広告主である企業１３に広告効果を報告できる。
【手続補正６】
【補正対象書類名】明細書
【補正対象項目名】００２４
【補正方法】変更
【補正の内容】
【００２４】
図５、図６及び図７を参照して、携帯電話機に非接触ＩＣカード機能を組み込み、非接触ＩＣカード機能付携帯電話機２０とし、この非接触ＩＣカード機能付携帯電話機２０のカメラで撮像した画像データを、このパブリックデイスプレイである映像表示装置１で見る場合につき説明する。
【手続補正７】
【補正対象書類名】明細書
【補正対象項目名】００２５
【補正方法】変更
【補正の内容】
【００２５】
この非接触ＩＣカード機能付携帯電話機２０は、図５に示す如く,周知の電話機能部２０ａと付加機能部２０ｂとより成り、この付加機能部２０ｂは、カメラ２１、このカメラ２１よりの画像データをメモリする画像メモリ２２、この画像メモリ２２の画像データを無線送信するＢｌｕｅｔｏｏｔｈ送信部２３と非接触ＩＣカード機能部５０とを有し、この非接触ＩＣカード機能部５０がＢｌｕｅｔｏｏｔｈ送信部２３に送信命令を出すようになされている。
【手続補正８】
【補正対象書類名】明細書
【補正対象項目名】００２６
【補正方法】変更
【補正の内容】
【００２６】
次に、図６及び図７を参照して、この非接触ＩＣカード機能付携帯電話機２０のカメラ２１で撮像した画像データをパブリックデイスプレイである大型画面の映像表示装置１でみたいときには、まずこの大型画面の映像表示装置１で見たい画像データを用意する（ステップＳ１）。
【手続補正９】
【補正対象書類名】明細書
【補正対象項目名】００２７
【補正方法】変更
【補正の内容】
【００２７】
次に、非接触ＩＣカード機能付携帯電話機２０の非接触ＩＣカード機能部５０部を映像表示装置１のリーダーライター４のアンテナ部４ａにタッチする（ステップＳ２）。このときは、この非接触ＩＣカード機能部５０のＩＤデータを、このリーダーライター４が読む（ステップＳ３）。
【手続補正１０】
【補正対象書類名】明細書
【補正対象項目名】００２９
【補正方法】変更
【補正の内容】
【００２９】
その後、リーダーライター４は、この命令を非接触ＩＣカード機能付携帯電話機２０の非接触ＩＣカード機能部５０に送り（ステップＳ６）、このあとこの非接触ＩＣカード機能部５０はＢｌｕｅｔｏｏｔｈ送信部２３に送信命令を出し、このＢｌｕｅｔｏｏｔｈ送信部２３は、画像メモリ２２よりの画像データをＢｌｕｅｔｏｏｔｈ信号にして無線でパーソナルコンピュタ２に送り出す（ステップＳ７）。
【手続補正１１】
【補正対象書類名】明細書
【補正対象項目名】００３１
【補正方法】変更
【補正の内容】
【００３１】
以上述べた如く、本例によれば、非接触ＩＣカード５及び非接触ＩＣカード機能付携帯電話機２０の非接触ＩＣカード機能部５０のリーダーライター４を表示部１ａ近傍に配置したので、パブリックデイスプレイ等の映像表示装置１を更に有効に利用することができる。
【手続補正１２】
【補正対象書類名】明細書
【補正対象項目名】００３２
【補正方法】変更
【補正の内容】
【００３２】
本例によれば、例えば、このリーダーライター４に接続されたパーソナルコンピュタ２を介して、この映像表示装置１の表示部１ａに非接触ＩＣカード機能付携帯電話機２０で撮影した画像データを大型画面のパブリックデイスプレイである映像表示装置１の表示部１ａに表示することができる。
【手続補正１３】
【補正対象書類名】明細書
【補正対象項目名】００３３
【補正方法】変更
【補正の内容】
【００３３】
また、本例によれば、このリーダーライター４によりパブリックデイスプレイ１の表示部１ａに表示した広告に関連したクーポン情報を消費者１２が所有する非接触ＩＣカード５に配信することができ広告効果を向上することができる。
【手続補正１４】
【補正対象書類名】明細書
【補正対象項目名】００３５
【補正方法】変更
【補正の内容】
【００３５】
【図１】本発明映像表示装置を実施するための最良の形態の例を示す構成図である。
【図２】本発明の要部の例を示す平面図である。
【図３】図１のIII―III線断面図である。
【図４】本発明の説明に供する構成図である。
【図５】非接触ＩＣカード機能付携帯電話機の例の構成図である。
【図６】本発明の説明に供する構成図である。
【図７】本発明の説明に供するフローチャートである。
【手続補正１５】
【補正対象書類名】図面
【補正対象項目名】図１
【補正方法】変更
【補正の内容】
【図１】
2006235365.tif 000010
【手続補正１６】
【補正対象書類名】図面
【補正対象項目名】図４
【補正方法】変更
【補正の内容】
【図４】
2006235365.tif 000011
【手続補正１７】
【補正対象書類名】図面
【補正対象項目名】図５
【補正方法】変更
【補正の内容】
【図５】
2006235365.tif 000012
【手続補正１８】
【補正対象書類名】図面
【補正対象項目名】図６
【補正方法】変更
【補正の内容】
【図６】
2006235365.tif 000013
【手続補正１９】
【補正対象書類名】図面
【補正対象項目名】図７
【補正方法】変更
【補正の内容】
【図７】
2006235365.tif 000014